(57)【要約】【課題】操作の案内（ガイド）を簡単に行うことが可能なプロジェクター、画像表示システム及びその制御方法を提供する。【解決手段】コンピューターにプロジェクターが接続されると、コンピューターは、プロジェクターに記憶されている画像供給プログラム及び操作ガイドプログラムを読み出して、自らのハードディスクドライブにインストールする（Ｓ１０６）。その後、コンピューターは、画像供給プログラムを起動し（Ｓ１０７）、コンピューターの液晶ディスプレイに表示される画像（画像情報）をキャプチャーさせ、プロジェクターに出力させる。次いで、コンピューターは、操作ガイドプログラムを起動し（Ｓ１０９）、プロジェクターの操作を案内（ガイド）するためのガイド画像を液晶ディスプレイに表示させる。この結果、プロジェクターからもガイド画像が投写される（Ｓ２０６）。【選択図】図４
2011154072.tif 000002
【特許請求の範囲】
【請求項１】
画像を投写するプロジェクターであって、
画像供給装置に接続され、前記画像供給装置から画像情報が入力される通信部と、
前記通信部に入力された前記画像情報に基づいて、前記画像を投写する画像投写部と、
前記プロジェクターの操作を案内するためのガイド情報を記憶する記憶部と、
前記通信部に前記画像供給装置が接続された場合に、前記通信部から前記画像供給装置へ前記ガイド情報を出力させる制御部と、
を備えたことを特徴とするプロジェクター。
【請求項２】
請求項１に記載のプロジェクターであって、
前記通信部から前記画像供給装置に前記ガイド情報が出力されると、前記ガイド情報に基づく画像情報が前記画像供給装置から前記通信部に入力され、
前記画像投写部は、入力された前記画像情報に基づいて、前記プロジェクターの操作を案内するためのガイド画像を投写することを特徴とするプロジェクター。
【請求項３】
請求項１に記載のプロジェクターであって、
前記ガイド情報には、当該ガイド情報に基づいて前記画像供給装置が前記プロジェクターを操作するための操作手段を示す情報が含まれていることを特徴とするプロジェクター。
【請求項４】
請求項１〜３のいずれか一項に記載のプロジェクターであって、
前記通信部は、ＵＳＢ規格に準じた通信を行うことを特徴とするプロジェクター。
【請求項５】
画像を投写するプロジェクターと、前記プロジェクターに画像情報を供給する画像供給装置と、を備えた画像表示システムであって、
前記プロジェクターは、
前記画像供給装置に接続され、前記画像供給装置から前記画像情報が入力される通信部と、
前記通信部に入力された前記画像情報に基づいて、前記画像を投写する画像投写部と、
前記プロジェクターの操作を案内するためのガイド情報を記憶する記憶部と、
前記通信部に前記画像供給装置が接続された場合に、前記通信部から前記画像供給装置へ前記ガイド情報を出力させる制御部と、
を備えたことを特徴とする画像表示システム。
【請求項６】
請求項５に記載の画像表示システムであって、
前記画像供給装置は、前記プロジェクターから入力される前記ガイド情報に基づく画像情報を前記プロジェクターに出力して、前記プロジェクターの操作を案内するためのガイド画像を前記プロジェクターに投写させることを特徴とする画像表示システム。
【請求項７】
画像を投写するプロジェクターと、前記プロジェクターに画像情報を供給する画像供給装置と、を備えた画像表示システムの制御方法であって、
前記プロジェクターに前記画像供給装置が接続された場合に、前記プロジェクターが、前記プロジェクターの操作を案内するためのガイド情報を前記画像供給装置へ出力する第１の出力ステップを備えたことを特徴とする画像表示システムの制御方法。
【請求項８】
請求項７に記載の画像表示システムの制御方法であって、
前記画像供給装置が、前記ガイド情報に基づく画像情報を前記プロジェクターに出力して、前記プロジェクターの操作を案内するためのガイド画像を前記プロジェクターに投写させる第２の出力ステップをさらに備えたことを特徴とする画像表示システムの制御方法。
【発明の詳細な説明】
【技術分野】
【０００１】
本発明は、画像を投写するプロジェクター、画像表示システム及びその制御方法に関する。
【背景技術】
【０００２】
従来、コンピューター等から出力される画像情報に基づく画像をプロジェクターから投写させる際、このプロジェクターを初めて扱うユーザーや、電子機器の操作に不慣れなユーザーは、紙媒体（冊子）、或いは電子媒体（例えば、ＣＤ−ＲＯＭ）で提供されるマニュアルを参照しながら操作しなければならない場合が多い。また、プロジェクターの本体又はリモコンに備わる特定の操作キー（ヘルプキー）が操作された場合に、操作方法を案内する機能を備えたプロジェクターも知られている（例えば、特許文献１参照）。
【０００３】
さらに、特許文献２には、インターネットに接続されたコンピューターに電化製品（例えば、デジタルカメラ）を接続すると、この電化製品のマニュアルが、インターネットに接続されたマニュアルサーバーから送られて、コンピューターの表示部に表示されるオンラインマニュアルシステムが提案されている。
【先行技術文献】
【特許文献】
【０００４】
【特許文献１】特開２００９−１８２４３５号公報
【特許文献２】特開２００３−２２８４５１号公報
【発明の概要】
【発明が解決しようとする課題】
【０００５】
しかしながら、マニュアルが紙媒体で提供される場合には、必要な情報（ページ）を即座に見つけることが困難であったり、紛失してしまう恐れがあったりするため、利便性が悪い。また、マニュアルが電子媒体で提供される場合には、電子媒体をコンピューターにセットして、マニュアルをコンピューターに表示させたり、インストールしたりする必要があるが、電子機器の操作に不慣れなユーザーにとっては、必ずしも簡単な操作ではない。また、特定の操作キーが操作された場合に操作方法を案内する機能がプロジェクターに備わっている場合であっても、マニュアルを読んでいないユーザーの中には、そのような機能が備わっていること自体を知らないユーザーも多い。そして、特許文献２に記載のシステムでは、紙媒体又は電子媒体のマニュアルを準備する必要がなくなり、利便性が向上するものの、インターネットに接続する必要があることから、利用可能な環境が限定されてしまうという問題を有している。このため、より簡単に操作の案内が可能なプロジェクターが望まれている。
【課題を解決するための手段】
【０００６】
本発明は、上述の課題の少なくとも一部を解決するためになされたものであり、以下の形態又は適用例として実現することが可能である。
【０００７】
［適用例１］本適用例に係るプロジェクターは、画像を投写するプロジェクターであって、画像供給装置に接続され、前記画像供給装置から画像情報が入力される通信部と、前記通信部に入力された前記画像情報に基づいて、前記画像を投写する画像投写部と、前記プロジェクターの操作を案内するためのガイド情報を記憶する記憶部と、前記通信部に前記画像供給装置が接続された場合に、前記通信部から前記画像供給装置へ前記ガイド情報を出力させる制御部と、を備えたことを特徴とする。
【０００８】
このプロジェクターによれば、通信部に画像供給装置が接続された場合に、記憶部に記憶されているガイド情報が画像供給装置に出力されるため、画像供給装置は、このガイド情報を利用して、プロジェクターの操作を案内することが可能となる。つまり、通信部に画像供給装置を接続すると、操作の案内がなされることから、操作を案内させるための作業は簡単で済み、利便性が向上する。
【０００９】
［適用例２］上記適用例に係るプロジェクターにおいて、前記通信部から前記画像供給装置に前記ガイド情報が出力されると、前記ガイド情報に基づく画像情報が前記画像供給装置から前記通信部に入力され、前記画像投写部は、入力された前記画像情報に基づいて、前記プロジェクターの操作を案内するためのガイド画像を投写することが望ましい。
【００１０】
このプロジェクターによれば、通信部に画像供給装置を接続すると、ガイド情報が画像供給装置に出力された後に、画像供給装置からガイド情報に基づく画像情報が入力され、操作を案内するためのガイド画像が画像投写部から投写される。このため、操作の案内が大きな画面で表示されることになり、利便性がさらに向上する。
【００１１】
［適用例３］上記適用例に係るプロジェクターにおいて、前記ガイド情報には、当該ガイド情報に基づいて前記画像供給装置が前記プロジェクターを操作するための操作手段を示す情報が含まれていてもよい。
【００１２】
このプロジェクターによれば、プロジェクターを操作するための操作手段がガイド情報に含まれているため、このガイド情報に基づいて簡単にプロジェクターを操作することが可能となる。
【００１３】
［適用例４］上記適用例に係るプロジェクターにおいて、前記通信部は、ＵＳＢ規格に準じた通信を行うようにしてもよい。
【００１４】
［適用例５］本適用例に係る画像表示システムは、画像を投写するプロジェクターと、前記プロジェクターに画像情報を供給する画像供給装置と、を備えた画像表示システムであって、前記プロジェクターは、前記画像供給装置に接続され、前記画像供給装置から前記画像情報が入力される通信部と、前記通信部に入力された前記画像情報に基づいて、前記画像を投写する画像投写部と、前記プロジェクターの操作を案内するためのガイド情報を記憶する記憶部と、前記通信部に前記画像供給装置が接続された場合に、前記通信部から前記画像供給装置へ前記ガイド情報を出力させる制御部と、を備えたことを特徴とする。
【００１５】
この画像表示システムによれば、プロジェクターの通信部に画像供給装置が接続された場合に、記憶部に記憶されているガイド情報が画像供給装置に出力されるため、画像供給装置は、このガイド情報を利用して、プロジェクターの操作を案内することが可能となる。つまり、通信部に画像供給装置を接続すると、操作の案内がなされることから、操作を案内させるための作業は簡単で済み、利便性が向上する。
【００１６】
［適用例６］上記適用例に係る画像表示システムにおいて、前記画像供給装置は、前記プロジェクターから入力される前記ガイド情報に基づく画像情報を前記プロジェクターに出力して、前記プロジェクターの操作を案内するためのガイド画像を前記プロジェクターに投写させることが望ましい。
【００１７】
この画像表示システムによれば、プロジェクターの通信部に画像供給装置を接続すると、ガイド情報が画像供給装置に出力された後に、画像供給装置からガイド情報に基づく画像情報が入力され、操作を案内するためのガイド画像が画像投写部から投写される。このため、操作の案内が大きな画面で表示されることになり、利便性がさらに向上する。
【００１８】
［適用例７］本適用例に係る画像表示システムの制御方法は、画像を投写するプロジェクターと、前記プロジェクターに画像情報を供給する画像供給装置と、を備えた画像表示システムの制御方法であって、前記プロジェクターに前記画像供給装置が接続された場合に、前記プロジェクターが、前記プロジェクターの操作を案内するためのガイド情報を前記画像供給装置へ出力する第１の出力ステップを備えたことを特徴とする。
【００１９】
この画像表示システムの制御方法によれば、プロジェクターに画像供給装置が接続された場合に、プロジェクターの操作を案内するためのガイド情報が画像供給装置に出力されるため、画像供給装置は、このガイド情報を利用して、プロジェクターの操作を案内することが可能となる。つまり、プロジェクターに画像供給装置を接続すると、操作の案内がなされることから、操作を案内させるための作業は簡単で済み、利便性が向上する。
【００２０】
［適用例８］上記適用例に係る画像表示システムの制御方法において、前記画像供給装置が、前記ガイド情報に基づく画像情報を前記プロジェクターに出力して、前記プロジェクターの操作を案内するためのガイド画像を前記プロジェクターに投写させる第２の出力ステップをさらに備えたことが望ましい。
【００２１】
この画像表示システムの制御方法によれば、プロジェクターに画像供給装置を接続すると、ガイド情報が画像供給装置に出力された後に、画像供給装置からガイド情報に基づく画像情報が入力され、操作を案内するためのガイド画像がプロジェクターから投写される。このため、操作の案内が大きな画面で表示されることになり、利便性がさらに向上する。
【００２２】
また、上述した画像表示システム及びその制御方法がコンピューターを用いて構築されている場合には、上記形態及び上記適用例は、その機能を実現するためのプログラム、或いは当該プログラムを前記コンピューターで読み取り可能に記録した記録媒体等の態様で構成することも可能である。記録媒体としては、フレキシブルディスクやハードディスク、ＣＤやＤＶＤ等の光ディスク、光磁気ディスク、不揮発性の半導体メモリーを搭載したメモリーカードやＵＳＢメモリー等、前記コンピューターが読み取り可能な種々の媒体を利用することができる。
【図面の簡単な説明】
【００２３】
【図１】画像表示システムを示す斜視図である。
【図２】コンピューターの概略構成を示すブロック図。
【図３】プロジェクターの概略構成を示すブロック図。
【図４】コンピューターにプロジェクターが接続された際の動作を説明するフローチャート。
【図５】第１実施形態のガイド画像の一例を示す説明図であり、（ａ）は、表示されるガイド情報の項目を示す図、（ｂ）は、選択された項目に対応するメッセージウィンドウを示す図。
【図６】ダイアログボックスを示す説明図。
【図７】第２実施形態のガイド画像の一例を示す説明図であり、（ａ）は、表示されるガイド情報の項目を示す図、（ｂ）は、選択された項目に対応する操作ウィンドウを示す図。
【発明を実施するための形態】
【００２４】
（第１実施形態）
以下、第１実施形態の画像表示システムについて、図面を参照して説明する。
図１は、本実施形態の画像表示システムを示す斜視図である。
図１に示すように、画像表示システム１００は、画像供給装置としてのコンピューター１と、その外部に備わるプロジェクター２とを備えている。コンピューター１は、例えば、ノート型のパーソナルコンピューターであり、表示装置である液晶ディスプレイ１６、入力装置であるキーボード２０、及び入力装置（ポインティングデバイス）であるタッチパッド２１を一体的に備えて構成されている。また、コンピューター１には、入力装置（ポインティングデバイス）である外付けのマウス３０も接続されている。プロジェクター２は、コンピューター１から画像情報の供給を受けて、この画像情報に応じた画像をスクリーンＳＣや壁面等の被投写物（以降、単にスクリーンＳＣとも呼ぶ。）に投写する。本実施形態では、コンピューター１とプロジェクター２とは、ＵＳＢ（Universal Serial Bus）ケーブル３で接続されており、このＵＳＢケーブル３を介して、コンピューター１からプロジェクター２に画像情報等が供給される。
【００２５】
図２は、コンピューター１の概略構成を示すブロック図である。
図２に示すように、コンピューター１は、ＣＰＵ（Central Processing Unit）１１、２つのブリッジ回路（ノースブリッジ１２、及びサウスブリッジ１３）、ＲＡＭ（Random Access Memory）１４、ビデオコントローラー１５、液晶ディスプレイ１６、ハードディスクドライブ１７、光ディスクドライブ１８、ＢＩＯＳ（Basic Input/Output System）が書き込まれたＢＩＯＳ−ＲＯＭ（Read Only Memory）１９、キーボード２０、タッチパッド２１、ＵＳＢ通信部２２等を備えている。
【００２６】
ＣＰＵ１１は、ＲＡＭ１４に読み出された各種プログラムに従って動作することにより、コンピューター１の動作を制御する。
【００２７】
ノースブリッジ１２は、ＣＰＵ１１とサウスブリッジ１３との間のブリッジ処理、ＲＡＭ１４の制御、及びビデオコントローラー１５の制御等を行う。ＲＡＭ１４は、ＤＲＡＭ（Dynamic RAM）で構成され、ハードディスクドライブ１７等から読み出されたＯＳ（Operating System）やアプリケーションプログラム等を記憶する。また、ＲＡＭ１４は、プログラム実行中における各種データの一時記憶等に用いられる。
【００２８】
ビデオコントローラー１５は、液晶ディスプレイ１６に対する画像表示を制御する。ビデオコントローラー１５は、ＶＲＡＭ（Video RAM）１５ａを備えており、ＣＰＵ１１の指示に基づいて、ＶＲＡＭ１５ａ上にフレーム（画面）単位で順次画像情報を生成し、生成した画像情報を液晶ディスプレイ１６に出力して、液晶ディスプレイ１６の画面１６ａ（図１参照）上に画像情報に基づく画像を表示させる。
【００２９】
液晶ディスプレイ１６は、一対の透明基板間に液晶が封入された透過型の液晶パネルと、液晶パネルの背面側から白色光を照射するバックライトユニットと、液晶パネルを駆動する駆動回路（いずれも図示せず）等を備えている。液晶パネルの内面には、マトリクス状に配列された多数の画素が形成されている。各画素は、赤色（Ｒ）、緑色（Ｇ）、青色（Ｂ）の各色光をそれぞれ透過可能な３つのサブ画素を含んでおり、液晶に対してサブ画素毎に駆動電圧を印加可能になっている。駆動回路が、ビデオコントローラー１５から入力される画像情報に応じた駆動電圧を各サブ画素に印加すると、各サブ画素は、画像情報に応じた光透過率に設定される。このため、バックライトユニットから照射された光は、この液晶パネルを透過することによって変調され、画像情報に応じた画像が液晶パネルの前面側、即ち、液晶ディスプレイ１６の画面１６ａ（図１参照）上に表示される。
【００３０】
サウスブリッジ１３には、各種インターフェイス回路が内蔵されており、ハードディスクドライブ１７、光ディスクドライブ１８、ＢＩＯＳ−ＲＯＭ１９、キーボード２０、タッチパッド２１、ＵＳＢ通信部２２等が接続されている。
【００３１】
ハードディスクドライブ１７は、インストールされたＯＳやアプリケーションプログラム、各種データ等を記憶する。光ディスクドライブ１８は、ＣＤ（Compact Disc）、ＤＶＤ（Digital Versatile Disc）、ブルーレイディスク等の光ディスクからのデータの読み出しや、光ディスクへのデータの書き込みを行う。
【００３２】
ＢＩＯＳ−ＲＯＭ１９には、ＢＩＯＳが格納されている。ＢＩＯＳは、コンピューター１の起動時にＣＰＵ１１によって読み出されて各種初期化処理やＯＳの起動を行うプログラムとともに、ビデオコントローラー１５、ハードディスクドライブ１７、キーボード２０等の入出力デバイスを制御するプログラムを含んでおり、これら入出力デバイスに対する基本的な入出力制御をＯＳやアプリケーションプログラムに提供する。ＯＳやアプリケーションプログラムを実行するＣＰＵ１１は、直接、或いはＢＩＯＳを介してこれらの入出力デバイスとの入出力を行うことができる。
【００３３】
キーボード２０は、キー操作によって文字や制御コード等の入力を受け付ける入力装置であり、タッチパッド２１は、液晶ディスプレイ１６等に表示されるポインターＰＴ（図１参照）の移動操作やクリック操作、ドラッグ操作等の入力操作を受け付ける入力装置（ポインティングデバイス）である。キーボード２０及びタッチパッド２１は、ユーザーによってなされた操作に基づく操作信号をサウスブリッジ１３に出力し、サウスブリッジ１３は、この操作信号を、ノースブリッジ１２を介してＣＰＵ１１に伝達する。
【００３４】
ＵＳＢ通信部２２は、図示しないＵＳＢ端子（ＵＳＢ  ＴｙｐｅＡ端子）を介して外部の周辺機器に接続され、ＣＰＵ１１の指示に基づいて、周辺機器との間でＵＳＢ規格に準じたデータ通信（ＵＳＢ通信）を行う。本実施形態のＵＳＢ通信部２２には、周辺機器として、上述したように、外付けのマウス３０と、画像情報の供給先であるプロジェクター２が接続されている。
【００３５】
次に、プロジェクター２の概略構成について説明する。
図３は、プロジェクター２の概略構成を示すブロック図である。
図３に示すように、プロジェクター２は、画像投写部４０、制御部５０、入力操作部５１、ＵＳＢ通信部５２、撮像部５３、画像処理部５４、ＯＳＤ処理部５５、記憶部５６等で構成されている。
【００３６】
画像投写部４０は、光源４１、光変調装置としての３つの液晶ライトバルブ４２Ｒ，４２Ｇ，４２Ｂ、投写光学系としての投写レンズ４３、ライトバルブ駆動部４４等で構成されている。画像投写部４０は、光源４１から射出された光を、液晶ライトバルブ４２Ｒ，４２Ｇ，４２Ｂで変調して画像（画像光）を形成し、この画像を投写レンズ４３から投写してスクリーンＳＣに表示する。
【００３７】
光源４１は、超高圧水銀ランプやメタルハライドランプ等からなる放電型の光源ランプ４１ａと、光源ランプ４１ａが放射した光を液晶ライトバルブ４２Ｒ，４２Ｇ，４２Ｂ側に反射するリフレクター４１ｂとを含んで構成されている。光源４１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ４２Ｒ，４２Ｇ，４２Ｂに入射する。
【００３８】
液晶ライトバルブ４２Ｒ，４２Ｇ，４２Ｂは、それぞれ一対の透明基板間に液晶が封入された透過型の液晶パネル（図示せず）等によって構成される。各液晶パネルには、マトリクス状に配列された複数の画素が形成されており、液晶に対して画素毎に駆動電圧を印加可能になっている。
【００３９】
ライトバルブ駆動部４４が、入力される画像情報に応じた駆動電圧を各画素に印加すると、各画素は、画像情報に応じた光透過率に設定される。このため、光源４１から射出された光は、この液晶ライトバルブ４２Ｒ，４２Ｇ，４２Ｂを透過することによって変調され、画像情報に応じた画像光が色光毎に形成される。形成された各色の画像光は、図示しない色合成光学系によって画素毎に合成されてカラー画像となった後、投写レンズ４３によってスクリーンＳＣに拡大投写される。
【００４０】
制御部５０は、ＣＰＵや、各種データ等の一時記憶に用いられるＲＡＭ、不揮発性のメモリーからなるＲＯＭ等を備え、ＲＯＭに記憶されている制御プログラムに従ってＣＰＵが動作することによりプロジェクター２の動作を統括制御する。
【００４１】
入力操作部５１は、ユーザーがプロジェクター２に対して各種指示を行うための複数の操作キーを備えている。入力操作部５１が備える操作キーとしては、電源のオンとオフとを切り替えるための「電源キー」、各種設定を行うための設定メニューを表示させる「メニューキー」、プロジェクター２を傾けて設置した場合等に生じる台形ひずみを補正するための「かんたん補正キー」等がある。ユーザーが入力操作部５１の各種操作キーを操作すると、入力操作部５１は、ユーザーの操作内容に応じた操作信号を制御部５０に出力する。なお、入力操作部５１として、遠隔操作が可能なリモコン（図示せず）を用いた構成としてもよい。この場合、リモコンは、ユーザーの操作内容に応じた赤外線の操作信号を発信し、図示しないリモコン信号受信部がこれを受信して制御部５０に伝達する。
【００４２】
ＵＳＢ通信部５２は、図示しないＵＳＢ端子（ＵＳＢ  ＴｙｐｅＢ端子）を介して外部のホスト機器（本実施形態では、コンピューター１）に接続され、制御部５０の指示に基づいて、コンピューター１との間でＵＳＢ規格に準じたデータ通信（ＵＳＢ通信）を行う。また、ＵＳＢ通信部５２にコンピューター１から画像情報が入力された場合には、ＵＳＢ通信部５２は、入力された画像情報を画像処理部５４に出力する。
【００４３】
撮像部５３は、プロジェクター２の前方（画像の投写方向）を撮像するものであり、ＣＣＤ（Charge Coupled Device）センサー、或いはＣＭＯＳ（Complementary Metal Oxide Semiconductor）センサー等からなる撮像素子（図示せず）と、撮像素子の前方に配置される撮像レンズ（図示せず）とを含んで構成されている。撮像部５３は、制御部５０の指示に基づいて、投写レンズ４３から投写された画像（投写画像）を含む範囲を撮像し、撮像結果を制御部５０に出力する。
【００４４】
画像処理部５４は、ＵＳＢ通信部５２から入力される画像情報を、液晶ライトバルブ４２Ｒ，４２Ｇ，４２Ｂの各画素の階調を表す画像情報、即ち各画素に印加する駆動電圧を規定するための画像情報に変換する。そして、画像処理部５４は、制御部５０の指示に基づいて、変換後の画像情報に各種処理を施す。例えば、画像処理部５４は、撮像部５３の撮像結果に基づいて台形ひずみを認識し、これを補正するための処理（台形ひずみ補正処理）を行うことができるとともに、明るさ、コントラスト、シャープネス、色合い等の画質を調整するための処理（画質調整処理）等を行うことができる。画像処理部５４で各種処理がなされた画像情報は、ＯＳＤ処理部５５に出力される。
【００４５】
ＯＳＤ処理部５５は、制御部５０の指示に基づいて、投写画像上に、メニュー画像やメッセージ画像等のＯＳＤ（オンスクリーンディスプレイ）画像を重畳して表示するための処理を行う。ＯＳＤ処理部５５は、図示しないＯＳＤメモリーを備えており、ＯＳＤ画像を形成するための図形やフォント等を表すＯＳＤ画像情報を記憶している。制御部５０が、ＯＳＤ画像の重畳表示を指示すると、ＯＳＤ処理部５５は、必要なＯＳＤ画像情報をＯＳＤメモリーから読み出し、投写画像上の所定の位置にＯＳＤ画像が重畳されるように、画像処理部５４から入力される画像情報にこのＯＳＤ画像情報を合成する。ＯＳＤ画像情報が合成された画像情報は、ライトバルブ駆動部４４に出力される。なお、制御部５０からＯＳＤ画像を重畳する旨の指示がない場合には、ＯＳＤ処理部５５は、画像処理部５４から入力される画像情報を、そのままライトバルブ駆動部４４に出力する。
【００４６】
ライトバルブ駆動部４４が、ＯＳＤ処理部５５から入力される画像情報に従って液晶ライトバルブ４２Ｒ，４２Ｇ，４２Ｂを駆動すると、液晶ライトバルブ４２Ｒ，４２Ｇ，４２Ｂは、画像情報に応じた画像（画像光）を形成し、この画像が投写レンズ４３からスクリーンＳＣに投写される。
【００４７】
記憶部５６は、不揮発性のメモリーにより構成されており、プロジェクター２がコンピューター１に接続された際に、コンピューター１に読み出されて実行されるアプリケーションプログラムを記憶している。具体的には、記憶部５６には、コンピューター１からプロジェクター２にＵＳＢ通信で画像情報を供給するためのプログラム（画像供給プログラムＰｐ）と、プロジェクター２の操作を案内（ガイド）するためのプログラム（操作ガイドプログラムＰｇ）と、これらのプログラムをコンピューター１にインストールするためのプログラム（セットアッププログラムＰｓ）が記憶されている。
【００４８】
次に、画像表示システム１００の動作について説明する。
コンピューター１に電源が投入されると、ＣＰＵ１１は、ＢＩＯＳ−ＲＯＭ１９に記憶されているＢＩＯＳに従ってブート処理を行った後、ハードディスクドライブ１７に記憶されているＯＳを起動し（ＲＡＭ１４に読み込み）、ＯＳに従った動作を開始する。そして、ＣＰＵ１１は、ビデオコントローラー１５に指示をして液晶ディスプレイ１６の画面１６ａに所定の画像（初期画面）を表示させる。
【００４９】
本実施形態のコンピューター１に採用されているＯＳは、ＧＵＩ（Graphical User Interface）を備えたものであり、ユーザーは、キーボード２０の他に、タッチパッド２１やマウス３０等のポインティングデバイスを操作することによってコンピューター１に各種指示を与えることが可能になっている。
【００５０】
ＯＳを起動する過程で、ＣＰＵ１１は、ビデオコントローラー１５に指示をして、液晶ディスプレイ１６に表示されている画像上にポインターＰＴを重畳表示させる。ＯＳには、タッチパッド２１やマウス３０と通信を行うためのデバイスドライバーが含まれており、ＣＰＵ１１は、このデバイスドライバーによってタッチパッド２１やマウス３０になされた移動操作、クリック操作、ドラッグ操作等を検出することができる。
【００５１】
ＯＳの起動が完了すると、コンピューター１は、ユーザーの各種操作を待機する。そして、ユーザーは、キーボード２０、タッチパッド２１、及びマウス３０等を操作して所望のアプリケーションプログラムの起動を指示したり、ＵＳＢ通信部２２にプロジェクター２等の周辺機器を接続したりすることができる。
【００５２】
図４は、コンピューター１にプロジェクター２が接続された際の動作を説明するフローチャートである。コンピューター１のＵＳＢ通信部２２に、ＵＳＢケーブル３を介してプロジェクター２が接続されると、コンピューター１及びプロジェクター２は、図４に示すフローに従って動作する。
【００５３】
まず、コンピューター１のＣＰＵ１１は、プロジェクター２の接続を検出して、プロジェクター２に対して構成情報（ディスクリプター情報）を要求する（ステップＳ１０１）。図示は省略しているが、プロジェクター２のＵＳＢ通信部５２は、構成情報が記憶されたメモリーを有しており、この構成情報には、プロジェクター２がマスストレージクラスに準拠したデバイスであること、即ちプロジェクター２が仮想的に記憶装置（例えば、ＣＤ−ＲＯＭ）として動作すること等の情報が含まれている。そして、プロジェクター２は、コンピューター１の要求に応じて、この構成情報をコンピューター１に出力する（ステップＳ２０１）。
【００５４】
コンピューター１のＣＰＵ１１は、プロジェクター２から入力される構成情報に基づいて、プロジェクター２がマスストレージクラスに準拠していることを認識し、ＯＳに標準的に備わっている汎用のデバイスドライバーであるマスストレージドライバーを起動する。これにより、コンピューター１とプロジェクター２とのＵＳＢによる接続が確立し（ステップＳ１０２）、これ以降、コンピューター１は、このマスストレージドライバーを利用することによって、プロジェクター２との間でデータの入出力を行うことができる。
【００５５】
コンピューター１のＣＰＵ１１は、プロジェクター２を記憶装置として認識すると、プロジェクター２から自動実行設定ファイルを読み出す（ステップＳ１０３）。自動実行設定ファイルは、コンピューター１に記憶装置等が接続された際に、コンピューター１に自動的に（ユーザーの操作に依らずに）読み出されて実行されるプログラム（自動実行プログラム）を指定するためのファイルである。本実施形態では、自動実行プログラムとしてセットアッププログラムＰｓを指定した自動実行設定ファイルがプロジェクター２の記憶部５６に記憶されており（図示せず）、プロジェクター２は、この自動実行設定ファイルをコンピューター１に出力する（ステップＳ２０２）。
【００５６】
その後、コンピューター１のＣＰＵ１１は、読み出した自動実行設定ファイルに従って、プロジェクター２の記憶部５６からセットアッププログラムＰｓを読み出す。つまり、プロジェクター２の制御部５０は、記憶部５６に記憶されているセットアッププログラムＰｓをコンピューター１に出力する（ステップＳ２０３）。そして、コンピューター１のＣＰＵ１１は、プロジェクター２から入力されたセットアッププログラムＰｓを起動し（ステップＳ１０４）、このプログラムに従った動作を開始する。セットアッププログラムＰｓは、画像供給プログラムＰｐ及び操作ガイドプログラムＰｇをコンピューター１にインストールするとともに、これらのプログラムを順に起動させる機能を有している。
【００５７】
まず、ＣＰＵ１１は、インストール情報や各種設定情報等が記録されている設定ファイル（レジストリー）をハードディスクドライブ１７から読み出し、この設定ファイルを参照して、画像供給プログラムＰｐ及び操作ガイドプログラムＰｇが既にインストールされているか否か、即ちインストール済みか否かを判断する（ステップＳ１０５）。そして、まだインストールされていない場合（ステップＳ１０５：Ｎｏ）には、インストールを実施する（ステップＳ１０６）。具体的には、ＣＰＵ１１は、プロジェクター２に対して画像供給プログラムＰｐ及び操作ガイドプログラムＰｇの出力を要求し、プロジェクター２の制御部５０は、コンピューター１からの要求に応じて、記憶部５６に記憶されている画像供給プログラムＰｐ及び操作ガイドプログラムＰｇを、ＵＳＢ通信部５２からコンピューター１に出力させる（ステップＳ２０４）。そして、コンピューター１のＣＰＵ１１は、プロジェクター２から入力された画像供給プログラムＰｐ及び操作ガイドプログラムＰｇをハードディスクドライブ１７に書き込む。一方、画像供給プログラムＰｐ及び操作ガイドプログラムＰｇが既にインストールされている場合（ステップＳ１０５：Ｙｅｓ）には、インストールの実行をスキップする。その後、ＣＰＵ１１は、インストールした（或いは既にインストールされている）画像供給プログラムＰｐを起動する（ステップＳ１０７）。
【００５８】
画像供給プログラムＰｐは、コンピューター１からプロジェクター２に画像情報をＵＳＢ通信で供給するためのプログラムであり、画像供給プログラムＰｐが起動すると、ＣＰＵ１１は、プロジェクター２への画像情報の供給を開始する。具体的には、ＣＰＵ１１は、ビデオコントローラー１５に指示をして、液晶ディスプレイ１６に表示している画像をキャプチャーさせる。そして、キャプチャーした画像、即ちＶＲＡＭ１５ａ上に生成されていた画像（画像情報）をパケット化して、ＵＳＢ通信部２２からプロジェクター２に出力する。これにより、プロジェクター２の画像投写部４０は、コンピューター１から入力される画像情報に基づく画像の投写を開始する（ステップＳ２０５）。そして、これ以降、ＣＰＵ１１は、定期的又は不定期で、画像情報のキャプチャーと出力とを繰り返す。
【００５９】
次に、コンピューター１のＣＰＵ１１は、ハードディスクドライブ１７に記憶されている設定ファイルを参照して、操作ガイドプログラムＰｇを起動するか否かを判断する（ステップＳ１０８）。後述するように、設定ファイルには、操作ガイドプログラムＰｇを起動するか否かを定めた情報が記録されるようになっており、起動しない旨の情報が記録されている場合（ステップＳ１０８：Ｎｏ）には、ＣＰＵ１１は、操作ガイドプログラムＰｇを起動しない。一方、操作ガイドプログラムＰｇを起動する旨の情報が記録されている場合（ステップＳ１０８：Ｙｅｓ）には、ＣＰＵ１１は、画像供給プログラムＰｐの起動に引き続いて、操作ガイドプログラムＰｇを起動する（ステップＳ１０９）。
【００６０】
操作ガイドプログラムＰｇは、プロジェクター２の操作を案内（ガイド）するためのガイド画像を表示するプログラムであり、操作ガイドプログラムＰｇが起動すると、ＣＰＵ１１は、ビデオコントローラー１５に指示をして、液晶ディスプレイ１６にガイド画像を表示させる。具体的には、操作ガイドプログラムＰｇには、プロジェクター２の操作を案内するための情報が記載されたマニュアルファイルが含まれており、コンピューター１がこのマニュアルファイルを開くことによって、液晶ディスプレイ１６上にガイド画像が表示される。マニュアルファイルの形式としては、各種ヘルプファイルを利用することも可能であるが、ＰＤＦ、ＸＭＬ、ＨＴＭＬ等のファイルであってもよい。ここで、コンピューター１は、画像供給プログラムＰｐが起動した状態であるため、液晶ディスプレイ１６に表示されたガイド画像は、画像供給プログラムＰｐによってキャプチャーされ、画像情報としてプロジェクター２に出力される。この結果、プロジェクター２の画像投写部４０は、入力される画像情報に基づく画像、即ちガイド画像の投写を開始する（ステップＳ２０６）。
【００６１】
図５（ａ）、（ｂ）は、ガイド画像の一例を示す説明図である。
図５（ａ）に示すように、ガイド画像Ｇｇは、例えば、メニュー形式とすることが可能であり、この場合には、複数の選択項目（目次）がガイド画像Ｇｇ内に表示される。ユーザーが、キーボード２０、タッチパッド２１、マウス３０等を利用してこれらの項目の一つを選択すると、画像の表示内容が切り替わり、図５（ｂ）に示すように、ガイド画像Ｇｇ内にメッセージウィンドウＷｍが表示される。そして、メッセージウィンドウＷｍには、選択された項目に関して操作方法等を案内する案内メッセージＭｇが含まれている。このように、ユーザーは、複数の選択項目の中から知りたい項目を選択するだけで、必要な情報を得ることができる。
【００６２】
ガイド画像Ｇｇには、操作ガイドプログラムＰｇを終了させるための終了ボタンＢｘが付されており、ユーザーは、タッチパッド２１又はマウス３０を用いて終了ボタンＢｘをクリック操作することにより、操作ガイドプログラムＰｇの終了を指示することができる。ユーザーが終了ボタンＢｘの操作（終了操作）を行い、ＣＰＵ１１がこの操作を受け付けると（ステップＳ１１０：Ｙｅｓ）、ＣＰＵ１１は、所定の終了処理を行って（ステップＳ１１１）、操作ガイドプログラムＰｇを終了させる。具体的には、ＣＰＵ１１は、マニュアルファイルを閉じてガイド画像Ｇｇの表示を終了させるとともに、ダイアログボックスＧｄ（図６参照）を表示させて、次回プロジェクター２を接続した際にも操作ガイドプログラムＰｇを起動してガイド画像Ｇｇを表示するか否かを問い合わせる。このダイアログボックスＧｄには、「はい」及び「いいえ」と表記された２つのボタンが設けられており、ユーザーは、タッチパッド２１又はマウス３０を用いて所望のボタンをクリック操作によって選択することができる。そして、「はい」が選択された場合には、ＣＰＵ１１は、次回プロジェクター２を接続した際にも操作ガイドプログラムＰｇを起動してガイド画像Ｇｇを表示する旨の情報を設定ファイルに記録して、操作ガイドプログラムＰｇを終了する。一方、「いいえ」が選択された場合には、次回プロジェクター２を接続した際には操作ガイドプログラムＰｇの起動、即ちガイド画像Ｇｇの表示を行わない旨の情報を設定ファイルに記録して、操作ガイドプログラムＰｇを終了する。
【００６３】
操作ガイドプログラムＰｇの終了によって、ガイド画像Ｇｇの表示が終了すると、プロジェクター２からのガイド画像Ｇｇの投写も終了する（ステップＳ２０７）。その後、ユーザーは、キーボード２０、タッチパッド２１、マウス３０等を操作して、任意のアプリケーションプログラムを起動させることができる。そして、このアプリケーションプログラムによって液晶ディスプレイ１６に表示される画像は、画像供給プログラムＰｐによってプロジェクター２からも投写される。
【００６４】
以上説明したように、本実施形態の画像表示システム１００によれば、以下の効果を得ることができる。
【００６５】
（１）本実施形態の画像表示システム１００によれば、プロジェクター２のＵＳＢ通信部５２とコンピューター１のＵＳＢ通信部２２がＵＳＢケーブル３を介して接続された場合に、記憶部５６に記憶されている操作ガイドプログラムＰｇがコンピューター１に出力されてコンピューター１にインストールされる。そして、コンピューター１が、操作ガイドプログラムＰｇを起動してマニュアルファイルを開くことにより、プロジェクター２の操作が案内される。つまり、プロジェクター２のＵＳＢ通信部５２にコンピューター１を接続すると、操作の案内がなされることから、操作を案内させるための作業は簡単で済み、利便性が向上する。
【００６６】
（２）本実施形態の画像表示システム１００によれば、プロジェクター２のＵＳＢ通信部５２とコンピューター１のＵＳＢ通信部２２がＵＳＢケーブル３を介して接続されると、コンピューター１は、画像供給プログラムＰｐと、操作ガイドプログラムＰｇを起動する。そして、コンピューター１が、操作ガイドプログラムＰｇに従ってマニュアルファイルを開くと、液晶ディスプレイ１６には、ガイド画像Ｇｇが表示され、このガイド画像Ｇｇは、画像供給プログラムＰｐによってキャプチャーされてプロジェクター２に出力される。つまり、プロジェクター２には、ガイド画像Ｇｇをキャプチャーした画像情報、即ちマニュアルファイルに基づく画像情報が入力され、画像投写部４０は、この画像情報に基づく画像、即ちガイド画像Ｇｇを投写する。このため、操作の案内が大きな画面で表示されることになり、利便性がさらに向上する。
【００６７】
なお、本実施形態では、プロジェクター２のＵＳＢ通信部５２が通信部に相当し、操作ガイドプログラムＰｇに含まれるマニュアルファイルがガイド情報に相当する。また、マニュアルファイルを含んだ操作ガイドプログラムＰｇを、プロジェクター２がコンピューター１に出力するステップＳ２０４は、第１の出力ステップに相当し、操作ガイドプログラムＰｇを起動してプロジェクター２にガイド画像Ｇｇを投写させるステップＳ１０９は、第２の出力ステップに相当する。
【００６８】
（第２実施形態）
以下、第２実施形態の画像表示システムについて、図面を参照して説明する。
本実施形態の画像表示システム１００では、操作ガイドプログラムＰｇの起動によって表示されるガイド画像Ｇｇに、プロジェクター２を操作するための操作ボタンが含まれており、この操作ボタンを操作することによって、プロジェクター２に所望の動作を行わせることができるようになっている。上記以外の構成、動作については、第１実施形態と同一である。
【００６９】
図７（ａ）、（ｂ）は、本実施形態のガイド画像の一例を示す説明図である。
図７（ａ）に示すように、本実施形態のガイド画像Ｇｇもメニュー形式になっており、複数の選択項目がガイド画像Ｇｇ内に表示されている。ユーザーが、キーボード２０、タッチパッド２１、マウス３０等を利用してこれらの項目の１つを選択すると、画像の表示内容が切り替わり、図７（ｂ）に示すように、ガイド画像Ｇｇ内に操作ウィンドウＷｃが表示される。操作ウィンドウＷｃには、選択された項目に関する動作をプロジェクター２に行わせるための操作ボタンＢｃが含まれており、ユーザーは、タッチパッド２１又はマウス３０でクリック操作することができる。
【００７０】
操作ボタンＢｃがクリック操作されると、ＣＰＵ１１は、操作された操作ボタンＢｃに応じた操作信号をＵＳＢ通信によってプロジェクター２に出力する。そして、プロジェクター２の制御部５０は、コンピューター１から入力される操作信号に基づいて、プロジェクター２の制御を行う。例えば、図７（ｂ）に示すように、台形ひずみの補正を実行するための操作ボタンＢｃが操作された場合には、ＣＰＵ１１は、台形ひずみの補正を指示する操作信号をプロジェクター２に出力する。そして、プロジェクター２の制御部５０は、この操作信号に基づいて、撮像部５３の撮像結果に応じた台形ひずみ補正処理を画像処理部５４に行わせる。
【００７１】
以上説明したように、本実施形態の画像表示システム１００によれば、第１実施形態と同様の効果を得ることができる。
また、本実施形態の画像表示システム１００によれば、プロジェクター２を操作するための操作ボタンＢｃがガイド画像Ｇｇに含まれているため、ガイド画像Ｇｇを用いて簡単にプロジェクター２を操作することが可能となる。
【００７２】
なお、本実施形態における操作ボタンＢｃは、操作手段に相当する。
【００７３】
（変形例）
また、上記実施形態は、以下のように変更してもよい。
【００７４】
上記実施形態では、ガイド画像Ｇｇは、プロジェクター２の操作を文字で案内する態様になっているが、イラストや写真を使って案内するようにしてもよいし、音声で案内するようにしてもよい。また、動画で案内することも可能である。
【００７５】
上記実施形態では、コンピューター１は、画像供給プログラムＰｐと操作ガイドプログラムＰｇをハードディスクドライブ１７にインストールした後で、これらのプログラムを起動するようにしているが、ハードディスクドライブ１７にインストールすることなく、プロジェクター２の記憶部５６から都度読み出して起動する態様としてもよい。
【００７６】
上記実施形態では、コンピューター１は、画像供給プログラムＰｐを起動した後で、操作ガイドプログラムＰｇを起動するようにしているため、液晶ディスプレイ１６に表示されるガイド画像Ｇｇがプロジェクター２からも投写されるようになっているが、この態様に限定されない。例えば、画像供給プログラムＰｐを起動する前に、操作ガイドプログラムＰｇを起動するようにしてもよい。この場合には、ガイド画像Ｇｇがプロジェクター２から投写されなくなるものの、ユーザーは、液晶ディスプレイ１６に表示されるガイド画像Ｇｇを見ることによって、操作の案内を受けることができる。
【００７７】
上記実施形態では、画像供給装置の例として、表示装置としての液晶ディスプレイ１６と、入力装置としてのキーボード２０と、入力装置（ポインティングデバイス）としてのタッチパッド２１とを一体的に備えたコンピューター１（ノート型のパーソナルコンピューター）について説明したが、画像供給装置は、ノート型のパーソナルコンピューターに限定されない。例えば、ＰＤＡ（Personal Digital Assistant）等の携帯型情報機器であってもよいし、デスクトップ型のパーソナルコンピューターのように、表示装置、キーボード、ポインティングデバイスの全部又は一部が外付けで接続される構成のコンピューターであってもよい。
【００７８】
上記実施形態では、コンピューター１からプロジェクター２への画像情報の供給が、ＵＳＢ通信によって行われる態様を示したが、双方向通信が可能であれば、ＵＳＢ通信に限定されない。
【００７９】
上記実施形態では、光変調装置として３つの液晶ライトバルブ４２Ｒ，４２Ｇ，４２Ｂを用いた３板式のプロジェクター２について説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００８０】
上記実施形態では、光変調装置として、透過型の液晶ライトバルブ４２Ｒ，４２Ｇ，４２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００８１】
上記実施形態では、光源４１は、放電型の光源ランプ４１ａによって構成されているが、ＬＥＤ（Light Emitting Diode：発光ダイオード）光源等の固体光源や、その他の光源に適用することもできる。
【符号の説明】
【００８２】
１…コンピューター、２…プロジェクター、３…ＵＳＢケーブル、１１…ＣＰＵ、１２…ノースブリッジ、１３…サウスブリッジ、１４…ＲＡＭ、１５…ビデオコントローラー、１５ａ…ＶＲＡＭ、１６…液晶ディスプレイ、１６ａ…画面、１７…ハードディスクドライブ、１８…光ディスクドライブ、１９…ＢＩＯＳ−ＲＯＭ、２０…キーボード、２１…タッチパッド、２２…ＵＳＢ通信部、３０…マウス、４０…画像投写部、４１…光源、４１ａ…光源ランプ、４１ｂ…リフレクター、４２Ｒ，４２Ｇ，４２Ｂ…液晶ライトバルブ、４３…投写レンズ、４４…ライトバルブ駆動部、５０…制御部、５１…入力操作部、５２…ＵＳＢ通信部、５３…撮像部、５４…画像処理部、５５…ＯＳＤ処理部、５６…記憶部、１００…画像表示システム、Ｂｃ…操作ボタン、Ｂｘ…終了ボタン、Ｇｄ…ダイアログボックス、Ｇｇ…ガイド画像、Ｍｇ…案内メッセージ、ＰＴ…ポインター、Ｐｇ…操作ガイドプログラム、Ｐｐ…画像供給プログラム、Ｐｓ…セットアッププログラム、Ｗｃ…操作ウィンドウ、Ｗｍ…メッセージウィンドウ、ＳＣ…スクリーン。
【図１】
2011154072.tif 000003
【図２】
2011154072.tif 000004
【図３】
2011154072.tif 000005
【図４】
2011154072.tif 000006
【図５】
2011154072.tif 000007
【図６】
2011154072.tif 000008
【図７】
2011154072.tif 000009